(57)【特許請求の範囲】
【請求項１】
電力量を計測する電力量計測部と、
電力量を表示する電力量表示部と、
外部と無線通信または電力線搬送通信を行う通信基板と、
電力の給電停電を行う開閉部と、
前記電力量計測部、前記電力量表示部、前記通信基板、及び前記開閉部に供給する電源を生成する電源部と、
通信基板により外部機器との無線通信を行う際に使用されるアンテナ部と、
前記電力量計測部、前記電力量表示部、通信基板、及び前記アンテナ部が搭載された計測基板と、
前記通信基板と前記計測基板とを接続するコネクタと、
電力線搬送通信時に必要となる前記通信基板と電力線とを接続する配線と、
前記電力量計測部に電圧を供給する電圧線と、
前記電力線に流れる電流を検知し前記電力量計測部に出力する変成器と、
電力線を接続する端子部と、
を備えたスマートメーターであって、
メーター本体内の一端部に、それぞれ金属部を含む前記端子部、前記電圧線、前記変成器、前記電源部、及び前記開閉部が配設され、
前記メーター本体内の他端部に、前記端子部、前記電圧線、前記変成器、前記電源部、及び前記開閉部から空間的に離間して前記アンテナ部が配設されている
ことを特徴とするスマートメーター。
【請求項２】
請求項１に記載のスマートメーターにおいて、
前記アンテナ部と前記電力量計測部との間に前記電力量表示部が配設されている
ことを特徴とするスマートメーター。
【請求項３】
請求項１または請求項２に記載のスマートメーターにおいて、
前記アンテナ部が前記計測基板の正面側に搭載されている
ことを特徴とするスマートメーター。
【請求項４】
請求項１または請求項２に記載のスマートメーターにおいて、
前記アンテナ部が前記計測基板の一部に前記アンテナ部が形成されている
ことを特徴とするスマートメーター。
【請求項５】
請求項３または請求項４に記載のスマートメーターにおいて、
前記通信基板が前記コネクタを介して前記計測基板の裏面側に搭載されている
ことを特徴とするスマートメーター。
【請求項６】
請求項５に記載のスマートメーターにおいて、
前記開閉部、前記変成器、及び前記端子部が、前記計測基板の裏面側に、前記計測基板から空間的に離間して配設されている
ことを特徴とするスマートメーター。
【請求項７】
請求項１から請求項６の何れか一項に記載のスマートメーターにおいて、
前記通信基板と前記計測基板とはコネクタで接続され、当該コネクタにおけるピンの配置が、信号ピンの周囲を接地ピンで囲う配置である
ことを特徴とするスマートメーター。
【請求項８】
請求項１から請求項７の何れか一項に記載のスマートメーターにおいて、
前記コネクタの入力部、前記コネクタの出力部、及び前記アンテナ部の給電点、の三箇所にインピーダンスマッチング回路が設けられている
ことを特徴とするスマートメーター。
【請求項９】
請求項１から請求項８の何れか一項に記載のスマートメーターにおいて、
電力線搬送通信用の前記コネクタの信号注入ピンと、前記計測基板に入力される電圧信号端子とが、パターン配線で接続されている
ことを特徴とするスマートメーター。
【請求項１０】
請求項１から請求項９の何れか一項に記載のスマートメーターにおいて、
前記電力量表示部と前記計測基板とを接続するリードで前記アンテナ部が形成されている
ことを特徴とするスマートメーター。
【請求項１１】
請求項１から請求項１０の何れか一項に記載のスマートメーターにおいて、
前記電力量表示部が液晶パネルであり、前記アンテナ部が、前記液晶パネルと前記計測基板とを接続する端子の空きピンを使ったパターンアンテナである
ことを特徴とするスマートメーター。
【発明の詳細な説明】
【技術分野】
【０００１】
この発明は、電力量計測機能と通信機能とを備えたいわゆるスマートメーターに関するものである。
【背景技術】
【０００２】
スマートメーターは、需要家と電力会社との間での双方向通信を可能にし、エネルギーマネジメントの機能を備えた次世代電力量計である。スマートメーターは、電力量を計量する機能等を実装した電力量計測ユニット、電力線を接続する端子部、端子部を覆う端子カバー、電力量計測ユニット内部に実装される計測基板、無線または有線通信を行う通信基板、及び電流の入り切りを行う開閉部から構成される。【０００３】
スマートメーターの通信方式としては、無線通信（特許文献１）、有線通信（特許文献２）、等が用いられる。無線通信の場合、通信周波数として２．４ＧＨｚ帯（ＩＥＥＥ  ８０２．１５．４）、９２０ＭＨｚ帯（ＩＥＥＥ  ８０２．１５．４ｇ）、４００ＭＨｚ（ＡＲＩＢ  ＳＴＤ―Ｔ６７）帯、等が用いられる。有線通信の場合、電力線搬送通信（以下、ＰＬＣ通信と呼ぶ）が主流である。国、電力会社、等により通信方式、周波数帯、等が異なる。
【０００４】
通信基板のスマートメーターへの実装の仕方として、無線通信時で、２．４ＧＨｚ帯、９２０ＭＨｚ帯、等の通信周波数の場合、通信基板はアンテナが実装された状態で保護カバーに覆われ、メーター本体外部に取り付けられることが多い。一方、４００ＭＨｚ帯の場合、アンテナが大型化するため、アンテナは通信基板と別体となり、アンテナ、通信基板ともに保護カバーに覆われた状態で、メーター本体外部に取り付けられる。
ＰＬＣ通信の場合は、通信基板は保護カバーに覆われ、メーター本体外部に取り付けられることが多い。  
【先行技術文献】
【特許文献】
【０００５】
【特許文献１】特開２０１５―１２９６４７号公報
【特許文献２】特開２０１０−４３４６号公報
【発明の概要】
【発明が解決しようとする課題】
【０００６】
無線通信及びＰＬＣ通信を用いるスマートメーターにおいて、通信基板及びアンテナをスマートメーターの本体内部に実装し、無線通信とＰＬＣ通信の通信方式の切替を通信基板の付け替えのみで実現でき、小型かつ安価なスマートメーターを実現することが望ましい。【０００７】
この発明は、前述のような課題を解決するためなされたもので、通信基板及びアンテナをスマートメーターの本体内部に実装し、無線通信とＰＬＣ通信の通信方式の切替を通信基板の付け替えのみで実現でき、小型かつ安価なスマートメーターを実現することを目的とするものである。
【課題を解決するための手段】
【０００８】
この発明に係るスマートメーターは、メーター本体内の一端部に、それぞれ金属部を含む前記端子部、前記電圧線、前記変成器、前記電源部、及び前記開閉部が配設され、
前記メーター本体内の他端部に、前記端子部、前記電圧線、前記変成器、前記電源部、及び前記開閉部から空間的に離間して前記アンテナ部が配設されていることにより、通信基板及びアンテナ部をスマートメーターの本体内部に実装でき、アンテナ特性を劣化させることなく、小型化を実現できる。
【発明の効果】
【０００９】
この発明のスマートメーターは、
電力量を計測する電力量計測部と、
電力量を表示する電力量表示部と、
外部と無線通信または電力線搬送通信を行う通信基板と、
電力の給電停電を行う開閉部と、
前記電力量計測部、前記電力量表示部、前記通信基板、及び前記開閉部に供給する電源を生成する電源部と、
通信基板により外部機器との無線通信を行う際に使用されるアンテナ部と、
前記電力量計測部、前記電力量表示部、通信基板、及び前記アンテナ部が搭載された計測基板と、
前記通信基板と前記計測基板とを接続するコネクタと、
電力線搬送通信時に必要となる前記通信基板と電力線とを接続する配線と、
前記電力量計測部に電圧を供給する電圧線と、
前記電力線に流れる電流を検知し前記電力量計測部に出力する変成器と、
電力線を接続する端子部と、
を備えたスマートメーターであって、
メーター本体内の一端部に、それぞれ金属部を含む前記端子部、前記電圧線、前記変成器、前記電源部、及び前記開閉部が配設され、
前記メーター本体内の他端部に、前記端子部、前記電圧線、前記変成器、前記電源部、及び前記開閉部から空間的に離間して前記アンテナ部が配設されているので、
通信基板及びアンテナをスマートメーターの本体内部に実装でき、アンテナ特性を劣化させることなく、小型化を実現できる効果を奏する。
【図面の簡単な説明】
【００１０】
【図１】この発明の実施の形態１を示す図で、スマートメーターの外観の一例を示す斜視図である。
【図２】この発明の実施の形態１を示す図で、スマートメーターの内部の概略構成の一例を示す正面図である。
【図３】この発明の実施の形態１を示す図で、図２に示されるＡ１-Ａ１線における断面を矢印方向に見た縦断側面図である。
【図４】この発明の実施の形態１を示す図で、電力量計測ユニットに実装される計測基板の構成の一例を示す正面図である。
【図５】この発明の実施の形態１を示す図で、電力量計測ユニットの主要機能部の一例を示すブロック図である。
【図６】この発明の実施の形態１を示す図で、通信基板と計測基板とを接続するコネクタのピン配置の一例を示す説明図である。
【図７】この発明の実施の形態１を示す図で、インピーダンスマッチング回路の配置の一例を示す説明図である。
【図８】この発明の実施の形態２を示す図で、スマートメーターの内部の概略構成の他の例を示す正面図である。
【図９】この発明の実施の形態２を示す図で、図８に示されるＡ２-Ａ２線における断面を矢印方向に見た縦断側面図である。
【図１０】この発明の実施の形態２を示す図で、電力量計測ユニットの主要機能部の他の例を示すブロック図である。
【図１１】この発明の実施の形態２を示す図で、リード線を接続するコネクタのピン配置の一例を示す説明図である。
【図１２】この発明の実施の形態３を示す図で、スマートメーターの内部の概略構成の更に他の例を示す正面図である。
【図１３】この発明の実施の形態３を示す図で、図１２に示されるＡ３-Ａ３線における断面を矢印方向に見た縦断側面図である。
【図１４】この発明の実施の形態３を示す図で、電力量計測ユニットの主要機能部の更に他の例を示すブロック図である。
【図１５】この発明の実施の形態４を示す図で、スマートメーターの内部の概略構成の更に他の例を示す正面図である。
【図１６】この発明の実施の形態４を示す図で、電力量表示部のリードを利用したアンテナの一例を示す平面図である。
【図１７】この発明の実施の形態４を示す図で、電力量表示部のリードを利用したアンテナの一例を示す正面図である。
【発明を実施するための形態】
【００１１】
実施の形態１．
以下、この発明の実施の形態１を図１から図７により説明する。図１は、スマートメーター１の斜視図である。
以下の実施の形態１から４における説明で、３次元のＸ方向、Ｙ方向、およびＺ方向のうち、水平方向をＸ方向、鉛直方向をＹ方向、Ｘ方向及びＹ方向に垂直に交わる方向（奥行方向）をＺ方向と例示する。また、Ｘ方向の長さを幅、Ｙ方向の長さを高さ、Ｚ方向の長さを厚さと表現する。
【００１２】
図２、図３、図４、及び図５は、スマートメーター１の概略構成の一例を示している。図２はスマートメーターの内部の概略構成の一例を示す正面図である。図３は図２に示されるＡ１-Ａ１線における断面を矢印方向に見た縦断側面図である。図４は電力量計測ユニットに実装される計測基板の構成の一例を示す正面図である。図５は電力量計測ユニットの主要機能部の一例を示すブロック図である。
【００１３】
図１、図２、及び図３に示すように、スマートメーター１は、電力量を計測する計測基板３、無線通信を行う無線通信基板４ａ、無線通信基板４ａと計測基板３を接続する汎用コネクタ５、計測基板３上に実装されるアンテナ部７、電力を供給する電力線８、電圧を電力線８から計測基板３に伝送する電圧線９、電流を検知する変成器１０、変成器１０で検知した電流を計測基板３に伝送する電流線１１、電流の入り切りを行う開閉部１２を備えた電力量計測ユニット２と、電力線８を接続する端子部１３と、端子部１３を覆う端子カバー１４と、を備えている。
【００１４】
スマートメーター１は、各需要家に設置され、通信機能を用いて使用した電力量を電力会社等の管理センターに自動的に送信できる。また、この通信機能により、管理センターから開閉部１２を遠隔制御し、配線の接続及び切断を遠隔制御できる。
【００１５】
図４は、電力量計測ユニット２に実装される計測基板３の構成を示す正面図である。計測基板３は、電力量計測部１５、電力量表示部１６、電源部１７、アンテナ部７から構成され、計測基板３の裏面にはコネクタ５を介して無線通信基板４ａが取り付けられる。計測基板３と無線通信基板４ａとは、コネクタ５により電気的に接続されている。無線通信基板４ａ及びアンテナ部７は、図示のように、それらを保護する一般的な保護カバーでは覆われていない状態で電力量計測ユニット２内、即ち電力量計本体内に配置されている。
【００１６】
図５は、電力量計測ユニット２の主要機能部の一例を示すブロック図である。電力量計測ユニット２は、電力量計測部１５、電力量表示部１６、開閉部１２、電源部１７、アンテナ部７から構成される計測基板３と、無線通信基板４ａとを含む。
なお、図５において、電力量計測部１５、電力量表示部１６、開閉部１２、電源部１７、アンテナ部７、および無線通信基板４ａの間の接続線のうち、実線で示す接続線は信号線、点線で示す接続線は電源線である。
【００１７】
なお、図２、図３、及び図４では、構成の理解を容易にするために発明の要部以外の詳細な部分についての記載は省略している。以下で、図２、図３、図４、及び図５を参照して、提案するスマートメーター１の一例の詳細を説明する。
【００１８】
図１に示す端子カバー１４は、非金属部材で形成される。例えば、端子カバー１４は樹脂で形成される。端子カバー１４は、端子部１３を覆うように設置される。
【００１９】
端子部１３は、電力線８を接続する。端子部１３は、例えば構成部材として金属部材を含む。端子部１３は、図２に示すように、電力量計測ユニット２に面して接続されている。
【００２０】
電力線８は、図２及び図３に示すように、一端は端子部１３に、他端は開閉部１２に接続され、Ｙ方向に沿って配置される。電力線８は、電力会社からの電力を、開閉部１２を介して各需要家の配電盤に伝搬する。
【００２１】
電圧線９は、図３に示すように、一端は端子部１３に接続され、他端は計測基板３に接続される。電圧線９は、電力線８から供給された電圧を、電力量計測部１５等に伝搬する。
【００２２】
変成器１０は、図２及び図３に示すように、電力線８を囲うように設置される。変成器１０は、電力線８に流れる電流を検知し、電力量計測部１５へ伝搬される。Ｚ方向において、変成器１０は、電力量計測ユニット２の厚さの中心から奥側又は手前側のいずれかの方向に配置される。
【００２３】
電流線１１は、図３に示すように、変成器１０と計測基板３を接続する。電流線１１は、変成器１０で検知した電流を計測基板３に伝送する。
【００２４】
電力量計測部１５は、電力量計測ユニット２の内部に配置される。電力量計測部１５は、需要家の電力量を計測する。電力量計測部１５は、図５に示すように、電力量表示部１６、開閉部１２、及び無線通信基板４ａと電気的に接続される。計測した電力量の信号を通信部及び電力量表示部１６等に送る。電力量計測部１５は、例えば、構成部材として金属部材を含む。
【００２５】
電力量表示部１６は、後述する電力量計測部１５で計測された電力量を可視表示する。電力量表示部１６は、長辺と短辺とを有する形状である。電力量表示部１６は、例えば、Ｘ方向に長い直方体形状に形成される。このとき、電力量表示部１６は、電力量計測ユニット２の計測基板３に格納できる大きさに形成される。電力量表示部１６は電力量計測部１５で計測された電力量を可視表示するために、外側から電力量計測ユニット２の表面部分に見えるように設置されている。例えば、この電力量表示部１６は、電力量計測ユニット２の表面に形成された窓部から見えるように設置される。
【００２６】
電源部１７は、電力量計測部１５、電力量表示部１６、開閉部１２、及び無線通信基板４ａに供給する電源を生成する。電力量計測部１５は、例えば、構成部材として金属部材を含む。
【００２７】
開閉部１２は、電力の電路を開閉するスイッチである。開閉部１２は、電力量計測部１５と電気的に接続される。開閉部１２は、無線通信基板４ａで受信された制御信号に従って電力の給停電を制御する。
【００２８】
アンテナ部７は、電力量計測ユニット２において、金属部材から構成される端子部１３、電力線８、電圧線９、変成器１０、電流線１１、及び開閉部１２からY方向に距離を空けるように配置される。また、アンテナ部７は、計測基板３において、金属部材から構成される電力量計測部１５、及び電源部１７からY方向に距離を空けるように配置される。アンテナ部７は、計測基板３上にプリントされたパターンとして実装される。アンテナ部７には、周波数帯の異なる複数のアンテナを実装してもよい。アンテナ部７は、一端が給電点に接続され、他端が開放されている。アンテナ部７は、金属部材を含む構成部材からＹ方向に距離を空けて設置されており、遮蔽物がない。したがって、アンテナ部７のアンテナ性能の劣化が抑制される。
【００２９】
無線通信基板４ａは、無線通信を行う。無線通信基板４ａは、計測基板３との接続用の汎用コネクタ５を有する。無線通信基板４ａは、アンテナ部７に近接して配置されており、アンテナ部７と後述の汎用コネクタ５とを接続する接続線はパターン配線であるのでノイズが乗りにくい。したがって、アンテナ部７のアンテナ性能の劣化が抑制される。
【００３０】
計測基板３との接続用の汎用コネクタ５と、アンテナ部７の給電点とは、Ｙ方向に近付けて配置される。図２に示す無線通信基板４ａと計測基板３の接続用の汎用コネクタ５は、Ｘ方向に対して設置されても、Ｙ方向に対して設置されてもよい。
【００３１】
図６は、無線通信基板４ａ接続用のコネクタ５のピン配置の一例を示す説明図である。無線通信基板４ａと計測基板３との接続用の汎用コネクタ５は、図６に参照符号２０として拡大して示すように、高周波の無線信号が通過する信号ピンの周囲に接地用の接地ピンが配置されており、接地用の接地ピンが信号ピンを通過する高周波無線信号に対するシールドの作用をし、特性インピーダンスを低く調整できる。
図６において、黒塗りの四角は接地用のピン、白抜きの四角は無線信号が通過する信号ピン、ハッチングを施した四角は、電源ほか用のその他用途用のピンである。
なお、図６では汎用コネクタ２０のピン数を１０ピン２列としているが、その他のピン数であってもよい。
【００３２】
図７は、インピーダンスマッチング回路（インピーダンス整合回路とも言われる）１９の配置の一例を示す説明図である。インピーダンスマッチング回路１９は、計測基板に実装される汎用コネクタ５ａ、及び無線通信基板に実装される汎用コネクタ５ｂの入出力部付近、及びアンテナの給電点１８付近の三箇所に配置されるが、いずれか一箇所、または二箇所であってもよい。計測基板３に実装されるインピーダンスマッチング回路１９，１９間は、計測基板３自体に施されたパターン配線２１で接続される。インピーダンスマッチング回路１９により、特性インピーダンスを調整できる。
【００３３】
このような構成により、電力会社から供給された電力は、スマートメーター１の電力量測定部を介して電力線８を通り需要家の各電化製品等に供給される。電力量測定部１５で検針された電力量は、電力量表示部１６に信号として送られる。この電力量の情報信号は、汎用コネクタ５を介して無線通信基板４ａにも送られる。無線通信基板４ａは、アンテナ部７を介して管理センターに使用電力に関連する情報を載せた電波を送信する。また、無線通信基板４ａは、アンテナ部７を介して管理センターなどからの制御指示等の指示を載せた電波を受信する。さらに、無線通信基板４ａは、アンテナ部７を介して需要家に備わった家電等との信号の送受信により各家電への電力量の調整及び各家電の消費電力の情報等を取得する。取得された情報は、アンテナ部７で受信され、無線通信基板４ａを介して電力量測定部１５に送られる。また、取得された情報は、無線通信基板４ａを介して管理センター若しくは需要者の端末等に送信することもできる。このようなアンテナ部７を介した通信基板と各通信場所との信号の送受信は、随時実行されている。
【００３４】
本実施形態によれば、無線通信基板４ａ及び周波数帯の異なる複数のアンテナを、アンテナ特性を劣化させることなく、スマートメーター１の本体内部に実装できる。また、無線通信基板４ａ及び周波数帯の異なる複数のアンテナをスマートメーター１の本体内部に実装する構成としたことにより、無線通信基板４ａ及びアンテナ部７の専用の保護カバーを別途用いる必要がなくなり、安価な方法で実装できるという効果がある。さらに、汎用コネクタの信号ピンの周囲を接地ピンで囲うように配置し、汎用コネクタの入力部、出力部、アンテナの給電点の三箇所にマッチング回路を設置することで、特性インピーダンスの調整が可能となるため、異なる通信周波数帯の通信基板に共用することができ、従って、通信基板の付け替えのみで通信周波数帯の切り替えを実現できる。
【００３５】
実施の形態２．
以下、図８、図９、図１０、及び図１１を参照して、実施の形態２について説明する。図８は実施の形態２のスマートメーターの内部の概略構成を示す正面図である。図９は図８に示されるＡ２-Ａ２線における断面を矢印方向に見た縦断側面図である。図１０は実施の形態２の電力量計測ユニットの主要機能部を示すブロック図である。図１１は実施の形態２のリード線６を接続するコネクタ５のピン配置の説明図である。本実施形態のスマートメーター１は、実施の形態１のスマートメーター１とほぼ同等の構成である。したがって、実施の形態１と同一の構成要素には同一の参照符号を付し、詳細な説明は省略する。
【００３６】
実施の形態２では、通信方式としてＰＬＣ通信を使用し、第２のＰＬＣ通信基板４ｂと電力線８との接続にリード線６を用いたスマートメーター１を提案する。第２のＰＬＣ通信基板４ｂは、ＰＬＣ通信を行う。図８及び図９に示すように、第２のＰＬＣ通信基板４ｂと電力線８の接続にリード線６が用いられる。第２のＰＬＣ通信基板４ｂは、計測基板３との接続用の汎用コネクタ５、及びリード線６を接続する汎用コネクタ２２を有する。リード線６の一端は第２のＰＬＣ通信基板４ｂと計測基板３の接続用の汎用コネクタ５に接続し、他端は電力線８が接続される端子部１３に接続される。
【００３７】
図１１は、実施の形態２のコネクタのピン配置説明図である。図８に例示の第２のＰＬＣ通信基板４ｂと電力線８との接続に使用されるリード線６の一端は、図１１に示す汎用コネクタ２２のピンに接続される。なお、図１１では２ピンの場合を示したが、その他のピン数であってもよい。また、図６に示した第２のＰＬＣ通信基板４ｂと計測基板３を接続するコネクタ５の使用していないピンを用いてもよい。
【００３８】
本実施形態によれば、汎用コネクタに設けたＰＬＣ通信用の信号注入ピンと、計測基板に入力される電圧信号端子とを接続できるリード線を設けることで、無線通信とＰＬＣ通信の切り替えを通信基板の付け替えのみで実現でき、通信方式に依らず計測基板３を共通化できる。
【００３９】
実施の形態３．
以下図１２、図１３、および図１４を参照して、実施の形態３について説明する。図１２は、実施の形態３のスマートメーター１の内部の概略構成を示す正面図である。図１３は、図１２に示されるＡ３-Ａ３線における断面を矢印方向に見た縦断側面図である。図１４は、実施の形態３の電力量計測ユニットの主要機能部のブロック図である。本実施形態のスマートメーター１は、実施の形態１及び実施の形態２のスマートメーター１とほぼ同等の構成である。したがって、実施の形態１及び実施の形態２と同一の構成要素には同一の参照符号を付し、詳細な説明は省略する。
【００４０】
実施の形態３のスマートメーター１では、通信方式としてＰＬＣ通信を使用し、第３のＰＬＣ通信基板４ｃと電力線８との接続に、計測基板３上に施されたパターン配線２３を用いたスマートメーター１を提案する。第３のＰＬＣ通信基板４ｃは、ＰＬＣ通信を行う。図１２及び図１３に示すように、第３のＰＬＣ通信基板４ｃと電力線８との接続にパターン配線２３が用いられる。パターン配線２３の一端は第３のＰＬＣ通信基板４ｃと計測基板３の接続用の汎用コネクタ５に接続し、他端は計測基板３上の電圧が供給されるランド２４に接続される。計測基板３上への電圧供給は、上述した電圧線９によってなされる。
【００４１】
第３のＰＬＣ通信基板４ｃと電力線８の接続に使用されるパターン配線２３の一端は、第３のＰＬＣ通信基板４ｃと計測基板３を接続する汎用コネクタ５の、実施の形態１で述べた無線通信用の信号ピン及び接地ピンを除いたその他のピンのいずれか、または無線通信用の信号ピンから離れたピンに接続される。
【００４２】
本実施形態によれば、実施の形態２に比べ、ＰＬＣ通信基板と電力線８の接続をより安価な方法で実現できる。
【００４３】
上述の実施形態によれば、無線通信及びＰＬＣ通信を用いるスマートメーター１において、無線通信基板、第２のＰＬＣ通信基板または第３のＰＬＣ通信基板、及びアンテナ部７をスマートメーター１の本体内部に実装し、無線通信とＰＬＣ通信の方式切替を、無線通信基板、第２のＰＬＣ通信基板または第３のＰＬＣ通信基板の付け替えのみで実現でき、小型かつ安価なスマートメーター１を提供できる。
【００４４】
実施の形態４．
実施の形態１を参照して、実施の形態４について説明する。実施の形態４では、アンテナとして、実施の形態１における電力量表示部１６のリードを用いたスマートメーター１を提案する。図１６は、電力量表示部のリードを利用したアンテナの一例を示す平面図である。図１７は、電力量表示部のリードを利用したアンテナの一例を示す平面図である。本実施形態のスマートメーター１は、実施の形態１のスマートメーター１とほぼ同等の構成である。したがって、実施の形態１と同一の構成要素には同一の参照符号を付し、詳細な説明は省略する。
【００４５】
スマートメーター１では、表示部が筐体表面付近に配置されており、長いリード２７で計測基板３に接続されている。
実施の形態４のスマートメーター１では、アンテナとして、実施の形態１における電力量表示部１６のリードを用いたスマートメーター１を提案する。
実施の形態４のスマートメーター１では、図１６、及び図１７に示すように、電力量表示部１６と計測基板３とを接続する多数のリード２７の少なくとも一部の複数のリードを利用して、第４のアンテナ部２６を構成する。
アンテナとして用いる各リード２８間は、接続端子２９、及び計測基板３上に設けたパターン配線により導通させる。
第４のアンテナ部２６は、アンテナとして用いる複数のリード２８，２８，・・・と、各リード間を接続する接続端子２９と、給電点３０とを含む。アンテナとして用いるリード２８，２８，・・・間を接続する接続端子２９は、例えば電力量表示部１６と計測基板３とを接続するリード２７と同一の材質である。
【００４６】
無線通信基板４ａは、図１５に示す箇所に配置される。無線通信基板４ａと計測基板３とを接続する汎用コネクタ５は、電力量表示部１６に近接して配置される。
無線通信基板４ａと計測基板３とを接続する汎用コネクタ５を、第４のアンテナ部２６の給電点３０に近接して配置することで、汎用コネクタ５と第４のアンテナ部２６の給電点３０間を接続するパターン配線間でノイズが乗りにくく、アンテナ性能の劣化が抑制される。
【００４７】
本実施形態によれば、電力量表示部１６のリードをアンテナとして用いることで、実施の形態１に比べ、アンテナの実装スペースを削減でき、小型化及び低コスト化を実現できる。
【００４８】
上述の実施形態によれば、無線通信及びＰＬＣ通信を用いるスマートメーター１において、計測基板の一部をアンテナ領域として利用することによって、複数の周波数帯のアンテナの内蔵を可能にした。また、汎用コネクタの信号ピンの周囲を接地ピンで囲うように配置し、汎用コネクタの入力部、出力部、アンテナの給電点の三箇所にマッチング回路を設置することで、特性インピーダンスの調整が可能となり、通信基板の付け替えのみで通信周波数帯の切り替えを実現できる。さらに、汎用コネクタに設けたＰＬＣ通信用の信号注入ピンと、計測基板に入力される電圧信号端子とを、リード線またはパターン配線することで、無線通信とＰＬＣ通信の切り替えを通信基板の付け替えのみで実現でき、通信方式に依らず計測基板を共通化できる。加えて、電力量表示部１６のリードをアンテナとして用いることで、実施の形態１に比べ、アンテナの実装スペースを削減でき、さらなる小型化及び低コスト化を実現できる。
【００４９】
計測基板に設けられた電力量表示部を液晶パネルとし、液晶パネルと計測基板とを接続する端子の空きピンをパターンアンテナの一部とした構造にしてもよい。
【００５０】
なお、前述の説明および前述の各図からも明白なように、本実施の形態１には、以下のような技術的特徴がある。
特徴点１：  電力量を計測する電力量計測部と、
電力量を表示する電力量表示部と、
外部と無線通信またはＰＬＣ通信を行う通信基板と、
電力の給電停電を行う開閉部と、
前記電力量計測部、前記電力量表示部、前記通信基板、及び前記開閉部に供給する電源を生成する電源部と、
通信基板により外部機器との無線通信を行う際に使用されるアンテナ部と、
前記電力量計測部、前記電力量表示部、通信基板、及び前記アンテナ部が搭載された計測基板と、
前記通信基板と前記計測基板とを接続するコネクタと、
前記ＰＬＣ通信時に必要となる前記通信基板と電力線とを接続する配線と、
前記電力量計測部に電圧を供給する電圧線と、
前記電力線に流れる電流を検知し前記電力量計測部に出力する変成器と、
電力線を接続する端子部と、
を備えたスマートメーターであって、
メーター本体内の一端部に、それぞれ金属部を含む前記端子部、前記電圧線、前記変成器、前記電源部、及び前記開閉部が配設され、
前記メーター本体内の他端部に、前記端子部、前記電圧線、前記変成器、前記電源部、及び前記開閉部から空間的に離間して前記アンテナ部が配設されている。
特徴点２：計測基板の一部をアンテナ領域とすることによって、比較的大きなアンテナを必要とする４００ＭＨｚ帯においても、前記メーター本体内へのアンテナの内蔵を可能にした構成である。
特徴点３：通信基板は、メータ本体内の計測基板の裏面側の、アンテナに近接する位置に、専用の保護カバーに覆われていない裸の状態で配設されている。
特徴点４：通信基板と計測基板とは汎用のコネクタで接続され、当該コネクタにおけるピンの配置が、信号ピンの周囲を接地ピンで囲う配置である。  
特徴点５：汎用のコネクタの入力部、コネクタの出力部、およびアンテナの給電点、の三箇所にインピーダンスマッチング回路が設けられている。  
特徴点６：汎用のコネクタに設けたＰＬＣ通信用の信号注入ピンと、計測基板に入力される電圧信号端子（ランド）とが、パターン配線で接続されている。  
特徴点７：計測基板に設けられた電力量表示部を液晶パネルとし、液晶パネルと計測基板とを接続する端子の空きピンをパターンアンテナの一部とした構造にしてある。  
【００５１】
なお、各図中、同一符合は同一または相当部分を示す。
なお、本発明は、その発明の範囲内において、各実施の形態を適宜、変形、省略、組み合わせることができる。
【符号の説明】
【００５２】
１…スマートメーター、２…電力量計測ユニット、３…計測基板、４ａ…無線通信基板、４ｂ…第２のPLC通信基板、４ｃ…第３のPLC通信基板、５…汎用コネクタ、５ａ…計測基板に実装される汎用コネクタ、５ｂ…無線通信基板に実装される汎用コネクタ、６…通信基板と電力線を接続するリード線、７…アンテナ部、８…電力線、９…電圧線、１０…変成器、１１…電流線、１２…開閉部、１３…端子部、１４…端子カバー、１５…電力量計測部、１６…電力量表示部、１７…電源部、１８…アンテナの給電点、１９…インピーダンスマッチング回路、２０…汎用コネクタ、２１…計測基板上のマッチング回路間を接続するパターン配線、２２…リード線を接続する汎用コネクタ、２３…第３の通信基板と電力線とを接続するパターン配線、２４…電圧が供給されるランド、２６…第４のアンテナ部、２７…電力量表示部と計測基板を接続するリード、２８…アンテナとして用いるリード、２９…リード間を接続する端子、３０…第４のアンテナの給電点。
【図１】
0006556340.tif 000002
【図２】
0006556340.tif 000003
【図３】
0006556340.tif 000004
【図４】
0006556340.tif 000005
【図５】
0006556340.tif 000006
【図６】
0006556340.tif 000007
【図７】
0006556340.tif 000008
【図８】
0006556340.tif 000009
【図９】
0006556340.tif 000010
【図１０】
0006556340.tif 000011
【図１１】
0006556340.tif 000012
【図１２】
0006556340.tif 000013
【図１３】
0006556340.tif 000014
【図１４】
0006556340.tif 000015
【図１５】
0006556340.tif 000016
【図１６】
0006556340.tif 000017
【図１７】
0006556340.tif 000018